(57)【要約】【課題】入店する前に当該店舗で精算可能か否かを認識させ、不足の事態を回避し得るシステムを提供することを目的とし、一方で、店舗側が、商品の購入が可能な者のみ入店させることが可能なシステムを提供することを目的とする。【解決手段】入店する前に顧客のクレジットカード等の有効性を知らせるべく、クレジットカードに内蔵されて当該クレジットカードの個人情報を記憶した非接触型ＩＣと、店舗の入口に設けられた表示装置と、前記店舗の外側に設けられた非接触型ＩＣ読取装置とを有し、前記非接触型ＩＣ読取装置から読み取った情報を基にクレジットカード会社に当該クレジットカードの有効性の有無情報を要求する手段と、前記クレジットカード会社から送られてきた当該有無情報を基に前記表示装置にその旨を表示させる手段とを有することを特徴とする。【選択図】      図１
2005025396.tif 000002
【特許請求の範囲】
【請求項１】
クレジットカードに内蔵されて当該クレジットカードの個人情報を記憶した非接触型ＩＣと、店舗の入口に設けられた表示装置又はスピーカと、前記店舗の外側に設けられた非接触型ＩＣ読取装置とを有し、
前記非接触型ＩＣ読取装置から読み取った情報を基にクレジットカード会社に当該クレジットカードの有効性の有無情報を要求する手段と、前記クレジットカード会社から送られてきた当該有無情報を基にその旨を前記表示装置で表示又は前記スピーカで通知させる手段とを有することを特徴とする入店管理システム。
【請求項２】
プリペイドカードに内蔵されて当該プリペイドカードの残高を記憶した非接触型ＩＣと、店舗の入口に設けられた表示装置又はスピーカと、前記店舗の外側に設けられた非接触型ＩＣ読取装置とを有し、
前記非接触型ＩＣ読取装置から読み取った残高を前記表示装置に表示又は前記スピーカで通知させる手段とを有することを特徴とする入店管理システム。
【請求項３】
プリペイドカードに内蔵されて当該プリペイドカードの残高を記憶した非接触型ＩＣと、店舗の入口に設けられた表示装置又はスピーカと、前記店舗の外側に設けられた非接触型ＩＣ読取装置とを有し、
予め残高を複数の範囲に分割した残高レベルを有し、前記非接触型ＩＣ読取装置から読み取った残高を前記残高レベルと照合する手段と、前記照合した残高レベルを前記表示装置に表示又は前記スピーカで通知させる手段とを有することを特徴とする入店管理システム。
【請求項４】
プリペイドカードに内蔵されて当該プリペイドカードの残高を記憶した非接触型ＩＣと、店舗の入口に設けられた表示装置又はスピーカと、前記店舗の外側に設けられた非接触型ＩＣ読取装置とを有し、
前記非接触型ＩＣ読取装置から読み取った残高が所定額以上か否かを判断する手段と、前記判断の結果を前記表示装置に表示又は前記スピーカで通知させる手段とを有することを特徴とする入店管理システム。
【請求項５】
所有者の銀行等の個人情報が記憶された非接触型ＩＣと、店舗の入口に設けられた表示装置又はスピーカと、前記店舗の外側に設けられた非接触型ＩＣ読取装置とを有し、
前記非接触型ＩＣ読取装置から読み取った個人情報を基に当該銀行等に預金残高情報を要求する手段と、前記銀行等から送られてきた預金残高情報を基に前記残高を前記表示装置に表示又は前記スピーカで通知させる手段とを有することを特徴とする入店管理システム。
【請求項６】
所有者の銀行等の個人情報が記憶された非接触型ＩＣと、店舗の入口に設けられた表示装置又はスピーカと、前記店舗の外側に設けられた非接触型ＩＣ読取装置とを有し、
前記非接触型ＩＣ読取装置から読み取った個人情報を基に当該銀行等に預金残高情報を要求する手段と、予め残高を複数の範囲に分割した残高レベルを有し、前記銀行等から送られてきた預金残高情報を前記残高レベルと照合する手段と、前記照合した残高レベルを前記表示装置に表示又は前記スピーカで通知させる手段とを有することを特徴とする入店管理システム。
【請求項７】
所有者の銀行の個人情報が記憶された非接触型ＩＣと、店舗の入口に設けられた表示装置又はスピーカと、前記店舗の外側に設けられた非接触型ＩＣ読取装置とを有し、
前記非接触型ＩＣ読取装置から読み取った個人情報を基に当該銀行に預金残高情報を要求する手段と、前記銀行から送られてきた預金残高情報が所定額以上か否かを判断する手段と、前記判断の結果を前記表示装置に表示又は前記スピーカで通知させる手段とを有することを特徴とする入店管理システム。
【請求項８】
所有者の銀行等の個人情報が記憶された非接触型ＩＣと、店舗の入口に設けられた表示装置又はスピーカと、前記店舗の外側に設けられた非接触型ＩＣ読取装置とを有し、
前記非接触型ＩＣ読取装置から読み取った個人情報を基に当該銀行等に預金残高が所定額以上か否かの情報を要求する手段と、前記銀行等から送られてきた情報が所定額以上を示すか否かを判断する手段と、前記判断結果を前記表示装置に表示又は前記スピーカで通知させる手段とを有することを特徴とする入店管理システム。
【請求項９】
クレジットカードに内蔵されて当該クレジットカード所持者の個人情報を記憶した非接触型ＩＣと、店舗の入口に設けられたドアと、前記ドアの外側に設けられた非接触型ＩＣ読取装置とを有し、
前記非接触型ＩＣ読取装置から読み取った個人情報を基にクレジットカード会社に当該クレジットカードの有効性の有無情報を要求する手段と、前記銀行等から送られてきた当該有無情報が有効か否かを判断する手段と、有効である場合は前記ドアを開ける手段とを有することを特徴とする入店管理システム。
【請求項１０】
プリペイドカードに内蔵されて当該プリペイドカードの残高を記憶した非接触型ＩＣと、店舗の入口に設けられたドアと、前記ドアの外側に設けられた非接触型ＩＣ読取装置とを有し、
前記非接触型ＩＣ読取装置から読み取った残高が所定額以上か否かを判断する手段と、前記所定額以上の場合は前記ドアを開ける手段とを有することを特徴とする入店管理システム。
【請求項１１】
所有者の銀行等の個人情報が記憶された非接触型ＩＣと、店舗の入口に設けられたドアと、前記ドアの外側に設けられた非接触型ＩＣ読取装置とを有し、
前記非接触型ＩＣ読取装置から読み取った個人情報を基に当該銀行等に預金残高情報を要求する手段と、前記銀行等から送られてきた預金残高情報が所定額以上か否かを判断する手段と、前記所定額以上の場合は前記ドアを開ける手段とを有することを特徴とする入店管理システム。
【請求項１２】
所有者の銀行等の個人情報が記憶された非接触型ＩＣと、店舗の入口に設けられたドアと、前記ドアの外側に設けられた非接触型ＩＣ読取装置とを有し、
前記非接触型ＩＣ読取装置から読み取った個人情報を基に当該銀行等に預金残高が所定額以上か否かの情報を要求する手段と、前記銀行等から送られてきた情報が所定額以上を示すか否かを判断する手段と、前記情報が所定額以上を示す場合は前記ドアを開ける手段とを有することを特徴とする入店管理システム。
【請求項１３】
前記店舗入口に人の通過を検出するセンサを有し、前記制御部は、前記ドアを開けた後前記センサで人の通過を検出すると前記ドアを閉める機能を有することを特徴とする請求項９〜１２の何れか１に記載の入店管理システム。
【請求項１４】
前記制御部は、前記ドアを開けた後所定時間経過後に前記ドアを閉める機能を有することを有することを特徴とする請求項９〜１２の何れか１に記載の入店管理システム。
【発明の詳細な説明】
【０００１】
【発明の属する技術分野】
本発明は、店舗等の入店管理システムに関し、特に入店前に支払可能か否かを知らせる入店管理システムに関する。
【０００２】
【従来の技術】
従来、店舗等においては、精算をクレジットカードやデビットカード、更にはプリペイドカード等により行われており、店舗によってはこれらのカードのみによって精算を行う店舗もある。
【０００３】
これらの精算は、商品を精算所まで持っていった後や飲食後等に行われるのが一般的であるが、例えばデビットカードやプリペイドカードで精算をしようとした場合に、精算所で残高が無いことに気がつき、店舗や他の客に迷惑をかけ、更には当人自身も不快に感じることがある。また、クレジットカードで精算しようとした場合は、口座への入金忘れによりカードが使用できなくなっていることがあり、かかる場合にデビットカードなどと同様に店舗や他の客に迷惑をかけ、更には当人自身も不快に感じることがある。他方、店舗によっては、当該店舗専用のカードを顧客に配布し、当該カードを所持した顧客のみ入店を許可する店舗もある。
【０００４】
これらの店舗では、店員が入口に立って当該カードの提示を求めるものや、特開２００１−１９５６２０号公報に記載のように、出入り口にＩＣカードの読み取り装置を設け、当該ＩＣカードの有効性を判断した上でゲートの開閉を行うものや、登録実用新案３０５７２２０号公報に記載のように、運転免許証から顧客の年齢を読み取り、ドアの開閉を制御するものがある。
【０００５】
【特許文献１】
特開２００１−１９５６２０号公報
【特許文献２】
登録実用新案３０５７２２０号公報
【０００６】
【発明が解決しようとする課題】
しかし、特開２００１−１９５６２０号公報は入口で精算を行うものであり、登録実用新案３０５７２２０号公報に記載の方法は単に入場を許可するか否かを判断するものであるため、従来の技術で記載したような、店舗内で精算をしようとした場合に、精算所で残高が無いことに気がつき、店舗や他の客に迷惑をかけ、更には当人自身も不快に感じる、という問題を解決するものではない。
【０００７】
一方、商品の性質上や店舗の性質上、商品の購入が可能な者のみ入店させたい場合があるが、上記従来技術では、精算時以前のその情報を入手することができない。
【０００８】
そこで、本発明は、入店する前に当該店舗で精算可能か否かを認識させ、不足の事態を回避し得るシステムを提供することを目的とし、また本発明は、店舗側が、商品の購入が可能な者のみ入店させることが可能なシステムを提供することを目的とする。
【０００９】
【課題を解決するための手段】
かかる目的を達成すべく本発明にかかる入店管理システムは、クレジットカードに内蔵されて当該クレジットカードの個人情報を記憶した非接触型ＩＣと、店舗の入口に設けられた表示装置又はスピーカと、前記店舗の外側に設けられた非接触型ＩＣ読取装置とを有し、前記非接触型ＩＣ読取装置から読み取った情報を基にクレジットカード会社に当該クレジットカードの有効性の有無情報を要求する手段と、前記クレジットカード会社から送られてきた当該有無情報を基にその旨を前記表示装置で表示又は前記スピーカで通知させる手段とを有することを特徴とする。
【００１０】
また、プリペイドカードに内蔵されて当該プリペイドカードの残高を記憶した非接触型ＩＣと、店舗の入口に設けられた表示装置又はスピーカと、前記店舗の外側に設けられた非接触型ＩＣ読取装置とを有し、前記非接触型ＩＣ読取装置から読み取った残高を前記表示装置に表示又は前記スピーカで通知させる手段とを有することを特徴とする。
【００１１】
また、プリペイドカードに内蔵されて当該プリペイドカードの残高を記憶した非接触型ＩＣと、店舗の入口に設けられた表示装置又はスピーカと、前記店舗の外側に設けられた非接触型ＩＣ読取装置とを有し、予め残高を複数の範囲に分割した残高レベルを有し、前記非接触型ＩＣ読取装置から読み取った残高を前記残高レベルと照合する手段と、前記照合した残高レベルを前記表示装置に表示又は前記スピーカで通知させる手段とを有することを特徴とする。
【００１２】
また、プリペイドカードに内蔵されて当該プリペイドカードの残高を記憶した非接触型ＩＣと、店舗の入口に設けられた表示装置又はスピーカと、前記店舗の外側に設けられた非接触型ＩＣ読取装置とを有し、前記非接触型ＩＣ読取装置から読み取った残高が所定額以上か否かを判断する手段と、前記判断の結果を前記表示装置に表示又は前記スピーカで通知させる手段とを有することを特徴とする。
【００１３】
また、所有者の銀行等の個人情報が記憶された非接触型ＩＣと、店舗の入口に設けられた表示装置又はスピーカと、前記店舗の外側に設けられた非接触型ＩＣ読取装置とを有し、前記非接触型ＩＣ読取装置から読み取った個人情報を基に当該銀行等に預金残高情報を要求する手段と、前記銀行等から送られてきた預金残高情報を基に前記残高を前記表示装置に表示又は前記スピーカで通知させる手段とを有することを特徴とする。
【００１４】
また、所有者の銀行等の個人情報が記憶された非接触型ＩＣと、店舗の入口に設けられた表示装置又はスピーカと、前記店舗の外側に設けられた非接触型ＩＣ読取装置とを有し、前記非接触型ＩＣ読取装置から読み取った個人情報を基に当該銀行等に預金残高情報を要求する手段と、予め残高を複数の範囲に分割した残高レベルを有し、前記銀行等から送られてきた預金残高情報を前記残高レベルと照合する手段と、前記照合した残高レベルを前記表示装置に表示又は前記スピーカで通知させる手段とを有することを特徴とする。
【００１５】
また、所有者の銀行の個人情報が記憶された非接触型ＩＣと、店舗の入口に設けられた表示装置又はスピーカと、前記店舗の外側に設けられた非接触型ＩＣ読取装置とを有し、前記非接触型ＩＣ読取装置から読み取った個人情報を基に当該銀行に預金残高情報を要求する手段と、前記銀行から送られてきた預金残高情報が所定額以上か否かを判断する手段と、前記判断の結果を前記表示装置に表示又は前記スピーカで通知させる手段とを有することを特徴とする。
【００１６】
また、所有者の銀行等の個人情報が記憶された非接触型ＩＣと、店舗の入口に設けられた表示装置又はスピーカと、前記店舗の外側に設けられた非接触型ＩＣ読取装置とを有し、前記非接触型ＩＣ読取装置から読み取った個人情報を基に当該銀行等に預金残高が所定額以上か否かの情報を要求する手段と、前記銀行等から送られてきた情報が所定額以上を示すか否かを判断する手段と、前記判断結果を前記表示装置に表示又は前記スピーカで通知させる手段とを有することを特徴とする。
【００１７】
一方、本発明にかかる入店管理システムは、クレジットカードに内蔵されて当該クレジットカード所持者の個人情報を記憶した非接触型ＩＣと、店舗の入口に設けられたドアと、前記ドアの外側に設けられた非接触型ＩＣ読取装置とを有し、前記非接触型ＩＣ読取装置から読み取った個人情報を基にクレジットカード会社に当該クレジットカードの有効性の有無情報を要求する手段と、前記銀行等から送られてきた当該有無情報が有効か否かを判断する手段と、有効である場合は前記ドアを開ける手段とを有することを特徴とする。
【００１８】
また、プリペイドカードに内蔵されて当該プリペイドカードの残高を記憶した非接触型ＩＣと、店舗の入口に設けられたドアと、前記ドアの外側に設けられた非接触型ＩＣ読取装置とを有し、前記非接触型ＩＣ読取装置から読み取った残高が所定額以上か否かを判断する手段と、前記所定額以上の場合は前記ドアを開ける手段とを有することを特徴とする。
【００１９】
また、所有者の銀行等の個人情報が記憶された非接触型ＩＣと、店舗の入口に設けられたドアと、前記ドアの外側に設けられた非接触型ＩＣ読取装置とを有し、前記非接触型ＩＣ読取装置から読み取った個人情報を基に当該銀行等に預金残高情報を要求する手段と、前記銀行等から送られてきた預金残高情報が所定額以上か否かを判断する手段と、前記所定額以上の場合は前記ドアを開ける手段とを有することを特徴とする。
【００２０】
また、所有者の銀行等の個人情報が記憶された非接触型ＩＣと、店舗の入口に設けられたドアと、前記ドアの外側に設けられた非接触型ＩＣ読取装置とを有し、前記非接触型ＩＣ読取装置から読み取った個人情報を基に当該銀行等に預金残高が所定額以上か否かの情報を要求する手段と、前記銀行等から送られてきた情報が所定額以上を示すか否かを判断する手段と、前記情報が所定額以上を示す場合は前記ドアを開ける手段とを有することを特徴とする。
【００２１】
更に本発明にかかる入店管理システムは、前記店舗入口に人の通過を検出するセンサを有し、前記制御部は、前記ドアを開けた後前記センサで人の通過を検出すると前記ドアを閉める機能を有することを特徴とする。
【００２２】
また、前記制御部は、前記ドアを開けた後所定時間経過後に前記ドアを閉める機能を有することを有することを特徴とする。
【００２３】
【発明の実施の形態】
次に本発明に係る第１の実施の形態について図面を参照して説明する。
【００２４】
図１は本発明にかかる第１の入店管理システムを示した図である。１はデビットカードにより精算を行わせる店舗、２は店舗１の入口に設けられたドア、３はドア３の外側に設けられて非接触型ＩＣから情報を読み取るＲＦＩＤリーダ、４はＲＦＩＤリーダ３で非接触型ＩＣに書き込まれた情報を読み取ることができる確認エリア、５はＲＦＩＤリーダ３で読み取った情報を基に各種制御を行うと共にドア２の開閉制御を行う制御部、６は制御部５の指示によりインターネットを介して銀行と情報を送受する通信装置、７は店舗１内に設けられて商品購入等の精算を行う精算所７、８は銀行、９は銀行８に備えられて顧客情報（口座番号、残高等）を格納しているサーバ、１０はデビットカード、１１はデビットカード１０に内蔵されて個人情報を記憶した非接触型ＩＣを示しており、非接触型ＩＣには個人情報として銀行の口座番号等が記憶されているものとし、ドア２は外側からは制御部５の指示でしか開閉しないが、内側からは制御部５の指示無しで開閉するものとする。
【００２５】
次に第１の入店管理システムの動作について図２をも参照して説明する。
【００２６】
店舗１の顧客は、店舗１で商品を購入するため、デビットカード１０を所持し、店舗入口の確認エリア４に進入する。すると、ＲＦＩＤリーダ３は、顧客が所持するデビットカード１０に内蔵された非接触型ＩＣ９から口座番号等の個人情報を読み取る（Ｓ１）。
【００２７】
ＲＦＩＤリーダ３で読み取った個人情報は制御部５に送られ、制御部５はこの個人情報を基に銀行８に口座の残高の確認を行うため、通信装置６にその旨指示する。そして通信装置６は読み取った個人情報の口座番号から、銀行８のサーバ９に対して口座の残高情報の要求を行う（Ｓ２）。
【００２８】
サーバ９は当該要求を受けると、口座番号に対応した残高情報を通信装置６に返送し、通信装置はその残高情報を制御部５に送信する。
【００２９】
制御部５は、予め定められた所定額と銀行８から返送されてきた残高を比較し（Ｓ３）、残高が所定額より多い場合は、ドア２を開けるよう制御する（Ｓ４）。予め定める所定額は、商品を購入して頂く顧客化否かを判断するためのものであり、例えば店舗１で販売する商品の最低価格、またはそれ以上とする。
【００３０】
その後、所定時間経過すると顧客が入店したものとみなしてドアを閉めるように制御する（Ｓ５）。
【００３１】
ドア２が開くと、顧客は店舗１に入店し、所望の商品を探して精算所７に持っていき、当該デビットカード１０により精算を行う。この場合、入店した顧客は精算能力がある者であるため、精算時に残金が足りない等の不測の事態が生じることはない。
【００３２】
一方、残高が所定額より少ない場合、又はサーバ９から残高情報が返送されない場合は、店舗１で商品を購入する者ではないと判断し、ドア２を閉めたままとする。
【００３３】
なお、上記では制御部５が通信装置６を介して銀行８のサーバ９に口座番号を送信して、その残高情報を得ていたが、銀行のセキュリティやプライベートの問題に鑑み、予め本発明にかかる入店管理システムのサービスを受ける契約をした者のみ制御部５から銀行８に問い合わせることもでき、一方、銀行８で当該サービスを受ける契約をした者のみ残高情報を制御部５に返送することもできる。また、具体的な残高情報を開示することができない場合は、制御部５から上記所定額より残高が多いか少ないかの情報のみを要求することも考えられ、この場合は所定額より残高が多い場合にドアを開けるよう制御する。
【００３４】
次に、本発明に係る第２の実施の形態について図面を参照して説明する。
【００３５】
図３は本発明にかかる第２の入店管理システムを示した図である。図１と異なるところは、店舗入口に表示装置１２が設けられている点であり、他の構成は第１と基本的に同じである。なお、図３では図１のドア２が設けられていないが、設けない必要性は無く、図１と同様に設けることも可能である。
【００３６】
次に第２の入店管理システムの動作について図４をも参照して説明する。
【００３７】
第１の入店管理システムの動作と基本的には同じであるが、第２の入店管理システムは、制御部５において、サーバ９から返送された残高情報が所定額より多い場合はその旨を表示装置１２に表示させる点で異なる。
【００３８】
顧客は表示装置１２を見ることで、商品購入の精算をしようとするデビットカード１０で実際に精算が可能か、又はどれだけの商品を購入することが可能かを知ることができる。そして、顧客が店舗１に入店し、所望の商品を精算所７に持っていき、当該デビットカード１０により精算を行う。この場合、入店した顧客は精算能力がある者であり、更に予めどの程度の残高があるか表示装置１２で確認しているため、精算時に残金が足りない等の不測の事態が生じることはない。
【００３９】
なお、セキュリティ上の問題がなければ、残高情報をそのまま表示させることもでき、また、残高を複数の範囲に分割した残高レベルを予め登録しておき、返送された残高情報と予め登録しておいた残高レベルとを照合し、この残高レベルを表示させることもできる。更に、銀行等が個人情報を詳細に開示できない場合は、制御部は銀行等に対して預金残高が所定額以上か否かの情報のみを要求し、銀行等は要求を受けた個人情報に対応する口座の残高が所定額か否かを判断してその判断結果のみを店舗に返送し、店舗は銀行等から返送された判断結果からドアを開けるか否かを判断するようにしても良い。
【００４０】
次に、本発明に係る第３の実施の形態について図面を参照して説明する。
【００４１】
図５は本発明にかかる第３の入店管理システムを示した図である。図１と異なるところは、店舗入口にブザー１３が設けられている点であり、他の構成は第１と基本的に同じである。なお、図５では図１のドア２が設けられていないが、設けない必要性は無く、図１と同様に設けることも可能である。更に、ブザー１３は単なるブザーでなくても良く、音声により顧客に情報を音声で伝えられる者であれば如何なるものでも良い。
【００４２】
次に第３の入店管理システムの動作について図６をも参照して説明する。
【００４３】
第１、第２の入店管理システムの動作と基本的には同じであるが、第３の入店管理システムは、制御部５において、サーバ９から返送された残高情報が所定額より多い場合はその旨をブザー１３により音声で知らせる点で異なる。
【００４４】
顧客はブザー１３からの音声により、商品購入の精算をしようとするデビットカード１０で実際に精算が可能か、又はどれだけの商品を購入することが可能かを知ることができる。そして、顧客が店舗１に入店し、所望の商品を精算所７に持っていき、当該デビットカード１０により精算を行う。この場合、入店した顧客は精算能力がある者であり、更に予めどの程度の残高があるかブザー１３で確認しているため、精算時に残金が足りない等の不測の事態が生じることはない。
【００４５】
次に、本発明に係る第４の実施の形態について説明する。
【００４６】
第４の入店管理システムは、第１〜３の入店管理システムと基本的に同じであるが、デビットカード１０の代わりにクレジットカード１６を用いる点が異なる。
【００４７】
図７に示すように、ここでは、非接触型ＩＣ１１にはクレジットカード１６のカード番号等の個人情報が記憶されており、ＲＦＩＤリーダ３はクレジットカード１６に内蔵された非接触型ＩＣ１１から当該個人情報を読み取り、制御部５に送られる。
【００４８】
制御部５は、読み取った個人情報に対応するクレジットカード１６の有効性の有無情報を、通信装置６を介してクレジットカード会社１４のサーバ１５に要求する。クレジット会社１４のサーバ１５は、受け取った個人情報に対応するクレジットカード１６の有効性の有無情報を、通信装置６を介して制御部５に返送する。
【００４９】
制御部５は、受け取った有無情報が有効を示していると、▲１▼ドア２を開け、▲２▼その旨表示装置に表示し、▲３▼その旨ブザーにより音声で通知、の少なくとも１の制御を行う。
【００５０】
その他の動作は実施例１〜３と同様であるので割愛する。
【００５１】
次に、本発明に係る第５の実施の形態について説明する。
【００５２】
第５の入店管理システムは、図９及び図１０に示すように、基本的には第１〜３の入店管理システムと基本的に同じであるが、デビットカード１０の代わりにプリペイドカード１３を用いる点が異なる。
【００５３】
ここでは、非接触型ＩＣ１１にはプリペイドカード１３の残高情報が記憶されており、ＲＦＩＤリーダ３はクレジットカード１０に内蔵された非接触型ＩＣ１１から当該残高情報を読み取り、制御部５に送られる。
【００５４】
制御部５は、読み取った残高情報と予め定められた所定額比較し、残高が所定額より多い場合は、▲１▼ドア２を開け、▲２▼その旨表示装置に表示し、▲３▼その旨ブザーにより音声で通知、の少なくとも１の制御を行う。
【００５５】
その他の動作は実施例１〜３と同様であるので割愛する。
【００５６】
言うまでもないが、第５の実施の形態では店舗１から銀行８やクレジットカード会社に各種情報を要求することは不要である。
【００５７】
【発明の効果】
以上説明したように、本発明によれば、クレジットカード、プリペイドカード、又は、口座から直接引き落とすデビットカード等により精算を行う店舗において、顧客が店舗に入店する前にこれらのカードが使用できるか、残高があるかを知ることができ、入店した後の精算時において、カード使用不可等により店舗、他の顧客に迷惑をかけることがなく、当人においても恥ずかしい思いをすることを無くすことができる。他方、店舗はカードの使用が可能な者、残高がある者のみを入店させることができる。
【００５８】
特に、請求項１においてはクレジットカードの有効性を判断してその旨を表示させている。請求項２においてはプリペイドカードの残高を表示し、請求項３においては残高を直接表示することに対する抵抗感に配慮し、残高を残高レベルとして間接的に表示し、請求項４においてはプライベートの問題を配慮して残高を表示せずに、残高が所定額より上か下かを表示させるようにしている。請求項５においては銀行等の口座から直接引き落とすデビットカード等の残高を表示し、請求項６においては残高を直接表示することに対する抵抗感に配慮し、残高を残高レベルとして間接的に表示し、請求項７においてはプライベートの問題を配慮して残高を表示せずに、残高が所定額より上か下かを表示し、請求項８においては銀行等における個人情報の開示を最小限とすべく、銀行等に残高が所定額より上か下かのみの情報を要求し、これを表示させるようにしている。
【００５９】
他方、請求項９においてはクレジットカードの有効性を判断し、有効と判断した場合のみ店舗のドアを開ける。請求項１０においてはプリペイドカードの残高が所定額の場合のみ店舗のドアを開ける。請求項１１においては銀行等の口座から直接引き落とすデビットカード等の引き落とし口座の残高が所定額以上の場合のみ店舗のドアを開け、請求項１１においては、銀行等における個人情報の開示を最小限とすべく、銀行等に残高が所定額より上か下かのみの情報を要求し、この情報が所定額より上の場合のみドアを開けるようにしている。
【００６０】
更に、請求項１３においては、上記処理により店舗のドアを開けた後、人が通過したことをセンサが検出するとドアを閉め、請求項１４においては所定時間経過後にドアを閉めるようにすることで、ドア開放による店舗のセキュリティを確保し、本システムを確実なものとすることができる。
【図面の簡単な説明】
【図１】本発明にかかる第１の入店管理システムを示した図である。
【図２】第１の入店管理システムの動作を示した図である。
【図３】本発明にかかる第２の入店管理システムを示した図である。
【図４】第２の入店管理システムの動作を示した図である。
【図５】本発明にかかる第３の入店管理システムを示した図である。
【図６】第３の入店管理システムの動作を示した図である。
【図７】本発明にかかる第４の入店管理システムを示した図である。
【図８】第４の入店管理システムの動作を示した図である。
【図９】本発明にかかる第５の入店管理システムを示した図である。
【図１０】第５の入店管理システムの動作を示した図である。
【符号の説明】
１  店舗
２  ドア
３  ＲＦＩＤリーダ
４  確認エリア
５  制御部
６  通信制御部
７  精算所
８  銀行
９  サーバ
１０  デビットカード
１２  非接触型ＩＣ
１３  プリペイドカード
１４  カード会社
１５  サーバ
１６  クレジットカード
【図１】
2005025396.tif 000003
【図２】
2005025396.tif 000004
【図３】
2005025396.tif 000005
【図４】
2005025396.tif 000006
【図５】
2005025396.tif 000007
【図６】
2005025396.tif 000008
【図７】
2005025396.tif 000009
【図８】
2005025396.tif 000010
【図９】
2005025396.tif 000011
【図１０】
2005025396.tif 000012